(57)【要約】【課題】本発明は、冷却衣服用送風機と、この冷却衣服用送風機を装着した冷却衣服に関するもので、使い勝手を良くすることを目的とするものである。【解決手段】空気吸込口８と空気排出口９を有する送風機ケース１０と、この送風機ケース１０内に設けた送風ファン１６と、この送風ファン１６を駆動するモータ１７と、このモータ１７に接続した制御部と、この制御部に接続した操作スイッチと、前記制御部とモータ１７に接続された携帯電源とを備え、前記制御部に、温度と、湿度の少なくとも一つを検出するセンサー３４，４５を接続し、このセンサー３４，４５を、前記送風機ケース１０の、空気吸込口８から空気排出口９までの風路の一部に配置した。【選択図】図２
2019007103.tif 000002
【特許請求の範囲】
【請求項１】
空気吸込口と空気排出口を有する送風機ケースと、この送風機ケース内に設けた送風ファンと、この送風ファンを駆動するモータと、このモータに接続した制御部と、この制御部に接続した操作部と、前記制御部と前記モータに接続された携帯電源とを備え、
前記制御部に、温度と、湿度の少なくとも一つを検出するセンサーを接続し、このセンサーを、前記送風機ケースの、前記空気吸込口から前記空気排出口までの風路の一部に配置した冷却衣服用送風機。
【請求項２】
前記センサーは、前記空気吸込口または前記空気排出口のガードカバー部分に設けたセンサー取付部に取り付けた請求項１に記載の冷却衣服用送風機。
【請求項３】
前記センサーは、前記ガードカバーから、前記送風機ケースの外側に向けて突出する第１突起と、前記ガードカバーから、前記送風機ケース内側に向けて突出する第２突起間で挟持する構成とした請求項２に記載の冷却衣服用送風機。
【請求項４】
前記第１突起の先端は、前記ガードカバー側の根本部分よりも、肉厚を薄くした請求項３に記載の冷却衣服用送風機。
【請求項５】
前記第２突起の先端は、前記ガードカバー側の根本部分よりも、肉厚を薄くした請求項３または４に記載の冷却衣服用送風機。
【請求項６】
前記第１突起および前記第２突起を、それぞれ複数個配置した請求項３から５のいずれか一つに記載の冷却衣服用送風機。
【請求項７】
前記制御部に、加速度センサーを接続した請求項１から６のいずれか一つに記載の冷却衣服用送風機。
【請求項８】
前記送風ファンは、軸流ファンにて構成し、この送風ファンの外径の半分以下の内側部分に前記センサーを配置した請求項１から７のいずれか一つに記載の冷却衣服用送風機。
【請求項９】
請求項１から８のいずれか一つに記載の冷却衣服用送風機を装着した冷却衣服。
【発明の詳細な説明】
【技術分野】
【０００１】
本発明は、冷却衣服用送風機と、この冷却衣服用送風機を装着した冷却衣服に関するものである。
【背景技術】
【０００２】
例えば、高温雰囲気中での作業時に作業者が着用する冷却衣服が提案され、脚光を浴びている。この冷却衣服には冷却衣服用送風機が装着され、この冷却衣服用送風機は、空気吸込口と空気排出口を有する送風機ケースと、この送風機ケース内に設けた送風ファンと、この送風ファンを駆動するモータと、このモータに接続した制御部と、この制御部に接続した操作部と、前記制御部とモータに接続された携帯電源とを備えた構成となっている（これに類似する構成としては例えば、下記特許文献１が存在する）。
【先行技術文献】
【特許文献】
【０００３】
【特許文献１】特開２０１６−３３２６７号公報
【発明の概要】
【発明が解決しようとする課題】
【０００４】
上記従来例において、操作部によりモータで送風ファンを駆動すると、冷却衣服外の空気は、先ず、空気吸込口から送風機ケース内へと吸引され、次に、空気排出口から冷却衣服内へと吹き出され、その後、冷却衣服内を流れ、冷却衣服外へと排出されるようになっている。そして、上記冷却衣服内の空気の流れにより、冷却衣服内の熱気や湿気も冷却衣服外へと排出され、これにより、高温雰囲気中の作業も快適に行えるようになる。
【０００５】
この時、作業員達は、快適性を求めるが故に、操作部により送風ファンによる風量を最大にして使用することが多く、その結果として、駆動時間が短くなり、使い勝手が悪いという問題点があった。すなわち、冷却衣服用送風機に装備された携帯電源は、作業時の携帯性を高めるために必要以上に大きくすることは出来ないので、送風ファンによる風量を最大にして使用すると、モータの電力消費が多くなり、その結果として駆動時間が短くなってしまうのである。
【０００６】
そこで、本発明は、冷却衣服用送風機の駆動時間を長くして使い勝手を高めることを目的とするものである。
【課題を解決するための手段】
【０００７】
上記目的を達成するために、本発明に係る冷却衣服用送風機は、空気吸込口と空気排出口を有する送風機ケースと、この送風機ケース内に設けた送風ファンと、この送風ファンを駆動するモータと、このモータに接続した制御部と、この制御部に接続した操作部と、前記制御部と前記モータに接続された携帯電源とを備え、前記制御部に、温度と、湿度の少なくとも一つを検出するセンサーを接続し、このセンサーを、前記送風機ケースの、前記空気吸込口から前記空気排出口までの風路の一部に配置したものである。
【０００８】
本発明に係る冷却衣服用送風機によれば、前記センサーは、前記空気吸込口または前記空気排出口のガードカバー部分に設けたセンサー取付部に取り付けられたものである。
【０００９】
本発明に係る冷却衣服用送風機によれば、前記センサーは、前記ガードカバーにおいて空気吸込口側から空気排出口側に向けて突出する第１突起と、前記ガードカバーにおいて空気排出口側から空気吸込口側に向けて突出する第２突起間で挟持する構成である。
【００１０】
本発明に係る冷却衣服用送風機によれば、前記第１突起の送風機ケース外側端部は、送風機ケース内側端部よりも小径である。
【００１１】
本発明に係る冷却衣服用送風機によれば、前記第２突起の送風機ケース内側端部は、送風機ケース外側端部よりも小径である。
【００１２】
本発明に係る冷却衣服用送風機は、前記第１突起および前記第２突起を、それぞれ複数個配置したものである。
【００１３】
本発明に係る冷却衣服用送風機は、前記制御部に、加速度センサーを接続したものである。
【００１４】
本発明に係る冷却衣服用送風機によれば、前記送風ファンは、軸流ファンにて構成し、この送風ファンの外径の半分以下の内側部分に前記センサーを配置したものである。
【００１５】
本発明に係る冷却衣服は、冷却衣服用送風機を装着したものである。
【発明の効果】
【００１６】
以上のように本発明の冷却衣服用送風機は、空気吸込口と空気排出口を有する送風機ケースと、この送風機ケース内に設けた送風ファンと、この送風ファンを駆動するモータと、このモータに接続した制御部と、この制御部に接続した操作部と、前記制御部とモータに接続された携帯電源とを備え、前記制御部に、温度と、湿度の少なくとも一つを検出するセンサーを接続し、このセンサーを、前記送風機ケースの、空気吸込口から空気排出口までの風路の一部に配置したものであるので、使い勝手の良いものとなる。
【００１７】
すなわち、送風機ケースの、空気吸込口から空気排出口までの風路の一部に、温度と、湿度の少なくとも一つを検出するセンサーを配置するとともに、このセンサーを制御部に接続したので、センサーの検出値によってモータが適切に駆動され、必要以上の電力消費が抑制され、その結果として、冷却衣服用送風機の駆動時間が長くなり、快適性の高いものとなるのである。
【図面の簡単な説明】
【００１８】
【図１】本発明の一実施形態に係る冷却衣服用送風機を装着した冷却衣服の背面図。
【図２】同冷却衣服用送風機の分解斜視図。
【図３】同冷却衣服用送風機の制御ブロック図。
【図４】同冷却衣服用送風機の背面図。
【図５】図４のＡ−Ａ拡大断面図。
【図６】図４のＢ−Ｂ拡大断面図。
【図７】同冷却衣服用送風機の回路ブロック図。
【図８】同冷却衣服用送風機の動作フローチャート。
【図９】同冷却衣服用送風機の動作を説明する図。
【図１０】本発明の他の実施形態に係る冷却衣服用送風機の動作フローチャート。
【図１１】本発明の、さらに他の実施形態に係る冷却衣服用送風機の動作フローチャート。
【発明を実施するための形態】
【００１９】
（実施の形態１）
以下、本発明の一実施形態を、添付図面を用いて説明する。
【００２０】
図１において、１は冷却衣服で、その背中部分の下方に、二つの冷却衣服用送風機２が装着されている。また、冷却衣服用送風機２には、それぞれケーブル３を介して携帯電源４が接続されている。すなわち、冷却衣服用送風機２を駆動することで、冷却衣服１外の空気を、この冷却衣服用送風機２を介して冷却衣服１内に吸い込み、次に、冷却衣服１内を流動させ、その後、首元開口５や袖口６から冷却衣服１外に排出し、冷却衣服１内の温度や湿度を低減させ、快適性を高めるものである。なお、冷却衣服１は、それ自体は通気性を押さえた材料で形成され、また、その下部には、空気が下方へと漏洩しないように絞り７が形成されている。
【００２１】
図２は冷却衣服用送風機２を示し、空気吸込口８と空気排出口９を有する送風機ケース１０を備えている。具体的には、送風機ケース１０は内筒１１の外側に外筒１２を重合させ、その後、外側からリング１３を装着することで一体化された構造となっている。内筒１１はガードカバー１４が形成され、このガードカバー１４が冷却衣服１外側部分に配置される。また、外筒１２はガードカバー１５が形成され、このガードカバー１５が冷却衣服１内側部分に配置される。これにより、前記ガードカバー１４部分が空気吸込口８、前記ガードカバー１５部分が空気排出口９となっている。
【００２２】
前記送風機ケース１０には、軸流ファンタイプの送風ファン１６が設けられ、この送風ファン１６はモータ１７によって回転駆動されるようになっている。なお、図２における１８は、冷却衣服１への取付リングを示しており、図２における空気排出口９側を、冷却衣服１に設けた開口部（図示せず）の冷却衣服１の外側から、この冷却衣服１内に挿入し、次に、冷却衣服１内において、ガードカバー１５の外側に、取付リング１８を押し込めば、取付リング１８の鍔１９と、外筒１２の鍔２０で、冷却衣服１の開口部外周縁が挟持され、これにより冷却衣服用送風機２が冷却衣服１に取り付けられる。
【００２３】
モータ１７の駆動回路は図３に示すように、携帯電源４の電池２１の電圧を、電圧調整回路（操作部の一例）２２で、例えば、７Ｖ（強風量時）、６Ｖ（中風量時）、５Ｖ（弱風量時）、３Ｖ（微弱風量時）と調整後に、ファン制御回路２３で、それぞれ昇圧し、モータ１７に電圧が供給される。このような構造は基本的にはよく知られている構造であるので、説明の煩雑化を避けるために、簡単に説明する。
【００２４】
つまり、電圧調整回路２２で調整された電圧は、コイル２４、ダイオード２５、コンデンサ２６、スイッチング素子２７、制御部２８によって昇圧され、モータ１７に供給される。一例として、携帯電源４の電池２１の電圧を、電圧調整回路２２で、例えば、７Ｖ（強風量時）に調整した時には、モータ１７には１１Ｖが供給される。また、この１１Ｖを維持するために、コンデンサ２６の電圧を抵抗２９、３０で分割して検出し、また、電圧調整回路２２からの７Ｖは抵抗３１、３２で分割して検出し、それを制御部２８で比較することにより、設定どおりの電圧が、モータ１７に供給されるようにしている。
【００２５】
つまり、携帯電源４の電池２１は、この図３の各部に電源を供給するためのものであり、また、電圧調整回路（操作部の一例）２２は、ファン制御回路２３、特に制御部２８に接続された状態となっており、これにより、モータ１７を、強風量時駆動、中風量時駆動、弱風量時駆動、微弱風量時駆動できるようになっている。なお、コンデンサ３３は、ノイズ成分が、制御部２８などに悪影響を与えないようにするためのノイズ対策用である。
【００２６】
本実施形態の特徴は、制御部２８に温度を検出するセンサー３４を接続したことである。このセンサー３４は、前記送風機ケース１０の、空気吸込口８から空気排出口９までの風路の一部に配置されている。
【００２７】
具体的には、本実施形態においては、前記センサー３４は、図４〜図６に示すように空気排出口９のガードカバー１５部分に設けたセンサー取付部３５に取り付けた。センサー取付部３５は、ガードカバー１５において、空気吸込口８側から送風機ケース１０の外側である空気排出口９側に向けて突出する第１突起３６と、前記ガードカバー１５において、空気排出口９側から送風機ケース１０の内側である空気吸込口８側に向けて突出する第２突起３７により構成し、これらの第１突起３６、第２突起３７の先端間で、センサー３４を軽く挟持、あるいは保持する構成としている。
【００２８】
つまり、第１突起３６と、第２突起３７はガードカバー１５と合成樹脂で一体に形成され、それぞれガードカバー１５から突出した状態になっている。そして、この状態において、第１突起３６と、第２突起３７は、ガードカバー１５側の根本部分よりも、先端部分の肉厚を薄くしている。つまり、図５に示すように、前記第１突起３６の先端側（ガードカバー１５部分から送風機ケース１０外側に向けて突出する端部）は、根本部分（ガードカバー１５近傍部分）よりも肉厚を薄くしている。また、図５に示すように、前記第２突起３７の先端側（ガードカバー１５部分から送風機ケース１０内側に向けて突出する端部）は、根本部分（ガードカバー１５部分近傍）よりも肉厚を薄くしている。さらにまた、第１突起３６と、第２突起３７は、図５に示すように、センサー３４の長手方向に、所定間隔をおいて、それぞれ２個（複数個の一例）配置している。
【００２９】
つまり、本実施形態のセンサー３４は、冷却衣服１の冷却衣服用送風機２に設けられるものであるので、屋外での雨濡れ、あるいは使用者自身の体温の影響を、できるだけ受けずに、冷却衣服用送風機２によって冷却衣服１内に吸い込まれる空気の温度を検出するために、ガードカバー１５の第１突起３６と、第２突起３７の先端側間（肉が薄い部分間）に対して単に接する、あるいはわずかな隙間を介して対向する状態で保持されている。
【００３０】
つまり、センサー取付部３５を、ガードカバー１５から、送風機ケース１０外側に向けて突出する第１突起３６と、前記ガードカバー１５から、送風機ケース１０内側に向けて突出する第２突起３７により構成し、これらの第１突起３６、第２突起３７の先端間（肉薄部分間）で、センサー３４を軽く挟持、あるいは保持する構成とすれば、センサー３４はガードカバー１５からの熱伝導の影響を受けにくく、その結果として、冷却衣服用送風機２によって冷却衣服１内に吸い込まれる空気の温度を適切に検出することが出来る。
【００３１】
また、図５に示すように、前記第１突起３６の先端（ガードカバー１５部分から送風機ケース１０外側に向けて突出する端部）は、前記第１突起３６の根本部分（ガードカバー１５側の端部）よりも肉薄とし、さらに、図５に示すように、前記第２突起３７の先端部分（ガードカバー１５部分から送風機ケース１０内側に向けて突出する端部）は、前記第２突起３７の根本部分（ガードカバー１５近傍部分）よりも肉薄とすれば、センサー３４はガードカバー１５からの熱伝導の影響を受けにくく、その結果として、冷却衣服用送風機２によって冷却衣服１内に吸い込まれる空気の温度を適切に検出することが出来る。
【００３２】
また、このように、前記第１突起３６の先端部分（ガードカバー１５部分から送風機ケース１０外側に向けて突出する端部）は、前記第１突起３６の根本部分（ガードカバー１５近傍部分）よりも肉薄とし、さらに、前記第２突起３７の先端部分（ガードカバー１５部分から送風機ケース１０内側に向けて突出する端部）を、前記第２突起３７の根本部分（ガードカバー１５近傍部分）よりも肉薄とすれば、ガードカバー１５を合成樹脂で形成したことにもより、第１突起３６、第２突起３７の先端部分は柔らかく、若干の柔軟性を帯びた状態にもできる。このことは、仕事や運動で動くことによる荷重を、センサー３４に伝達しにくくすることにもなり、振動や荷重によってセンサー３４が損傷するのを防ぐことにおいても大きな効果が期待できる。
【００３３】
また、前記第１突起３６の先端部分（ガードカバー１５部分から送風機ケース１０外側に向けて突出する端部）は、前記第１突起３６の根本部分（ガードカバー１５近傍部分）よりも肉薄とし、さらに、前記第２突起３７の先端部分（ガードカバー１５部分から送風機ケース１０内側に向けて突出する端部）を、前記第２突起３７の根本部分（ガードカバー１５近傍部分）よりも肉薄とすれば、センサー３４と、第１突起３６、第２突起３７間に、多くの埃や水分が滞留することを防止することもできるので、この点でも、センサー３４による制御を適切なものにすることもできる。
【００３４】
なお、センサー３４を、空気排出口９側のガードカバー１５に設けた理由は、センサー３４が冷却衣服１外において、太陽熱や雨の影響を避けるためであり、これらの太陽熱や雨の影響を避ける工夫をすれば、空気吸込口８側のガードカバー１４にセンサー３４を取り付けてもよい。
【００３５】
また、本実施形態では、送風ファン１６は、軸流ファンにて構成したので、この送風ファン１６の外径の半分以下の内側部分にセンサー３４を配置している。つまり、軸流ファンであれば、モータ１７との結合部分に、円柱状結合部３８が設けられているので、この円柱状結合部３８の近傍にセンサー３４を設ければ、雨などの影響を受けにくくすることが出来るのである。
【００３６】
具体的には、送風機ケース１０内に浸入した雨などの水の大部分は送風ファン１６の回転によって、センサー３４に届く前に外周方向に弾き飛ばされ、その結果としてセンサー３４に届きにくくはなっているが、それでも一部は奥側に進む可能性もある。その状況において、円柱状結合部３８が、センサー３４の風上流側に存在すると、前記浸入する水の大部分は、この円柱状結合部３８でも外方への運動力が与えられ、その結果、送風ファン１６へと搬送され、センサー３４に届く前に外周方向に弾き飛ばされ、その結果としてセンサー３４に届きにくくなるのである。
【００３７】
以上の構成において、図１の冷却衣服１を使用者が着用した動作を説明する。図７は、携帯電源４の詳細回路を示している。
【００３８】
つまり、携帯電源４は、電池２１と電圧調整回路（操作部の一例）２２の間に電源スイッチ３９が介在され、また、この電圧調整回路２２には、風量を設定するための操作スイッチ４０、４１、４２、４３が接続されている。
【００３９】
スイッチ４０は、電圧調整回路２２として７Ｖを出力させるもので、これが、ファン制御回路２３で昇圧され、モータ１７には１１Ｖが供給され、強風量時駆動が行われる。スイッチ４１は、電圧調整回路２２として６Ｖを出力させるもので、これが、ファン制御回路２３で昇圧され、モータ１７には９Ｖが供給され、中風量時駆動が行われる。スイッチ４２は、電圧調整回路２２として５Ｖを出力させるもので、これが、ファン制御回路２３で昇圧され、モータ１７には８Ｖが供給され、弱風量時駆動が行われる。スイッチ４３は、電圧調整回路２２として３Ｖを出力させるもので、これが、ファン制御回路２３で昇圧され、モータ１７には５．５Ｖが供給され、微弱風量時駆動が行われる。
【００４０】
使用者が、電源スイッチ３９をＯＮ状態とし、スイッチ４０をＯＮ状態とすると（図８のＳ１）、先ずは、電圧調整回路２２からは７Ｖ出力の状態（図８のＳ２）からスタートする。制御部２８は、図３に示すメモリ４４内に格納したプログラム（図８）の動作を実行する。すなわち、制御部２８は、抵抗３１、３２により電圧が６Ｖ以下か、否かを判定する（図８のＳ３）。
【００４１】
この場合、上述のように、電圧調整回路２２からは７Ｖが供給されているので、次に制御部２８は、センサー３４による温度検出を行う（図８のＳ４）。センサー３４で検出した温度が３６度よりも低いかを検出し、その結果として、検出温度が３６度よりも高ければ、前記７Ｖをファン制御回路２３で昇圧し、モータ１７に１１Ｖを供給し、図９のように、強風量駆動を行う（図８のＳ５、Ｓ６）。
【００４２】
また、（図８のＳ５）において、センサー３４による検出温度が３６度よりも低ければ、次に（図８のＳ７）において、センサー３４による検出温度が２９度よりも高いか、否かを判定する。そして、センサー３４による検出温度が２９度よりも低いと、前記７Ｖをファン制御回路２３で昇圧し、モータ１７に８Ｖを供給し、図９のように、弱風量駆動を行う（図８のＳ８）。
【００４３】
つまり、屋外で作業していた作業者が、エアコンの効いた事務所に戻った場合などがこの状態となり、この時には、自動的にモータ１７が弱風量駆動となるので、無駄な電力消費は無く、その分、長時間使用が可能となり、使い勝手の良いものとなる。また、事務所において強風量駆動が継続されると、肌寒く感じることもあり、それを回避できることも使い勝手の良さを感じさせることになる。
【００４４】
また、（図８のＳ７）において、センサー３４による検出温度が２９度よりも高いときには、前記７Ｖをファン制御回路２３で図９のようにリニアに昇圧し、この図９のように、弱風量駆動から強風量駆動を行う（図８のＳ９）。
【００４５】
次に、使用者が、その後、スイッチ４１、または４２、あるいは４３を操作すると、電圧調整回路２２からは６Ｖ以下の電圧が供給されているので、制御部２８は、先ず、抵抗３１、３２により電圧が７Ｖ以下か、否かを判定する（図８のＳ１０）。この場合、スイッチ４１を操作していると、抵抗３１、３２により電圧は６Ｖ以下となっており、検出した電圧が６Ｖであるならファン制御回路２３で９Ｖに昇圧し、中風量駆動を行う（図８のＳ１１、Ｓ１２）。
【００４６】
また、スイッチ４２を操作していると、抵抗３１、３２により電圧は５Ｖ以下となっており、検出した電圧が５Ｖであるならファン制御回路２３で８Ｖに昇圧し、弱風量駆動を行う（図８のＳ１３、Ｓ１４）。また、スイッチ４３を操作していると、抵抗３１、３２により電圧は３Ｖ以下となっており、検出した電圧が３Ｖであるならファン制御回路２３で５．５Ｖに昇圧し、微弱風量駆動を行う（図８のＳ１５、Ｓ１６）。また、この状態で、再びスイッチ４０を操作していると、抵抗３１、３２により電圧は７Ｖとなっており、検出した電圧が７Ｖであるならファン制御回路２３で１１Ｖに昇圧し、強風量駆動を行う（図８のＳ１０、Ｓ１７）。
【００４７】
しかしながら、電源スイッチ３９をＯＮ状態とし、スイッチ４０をＯＮ状態とした後に、スイッチ４１、または４２、あるいは４３を操作すると、それ以降は、（図８のＳ１０〜Ｓ１７）間の動作を行い、再び、温度を考慮した（図８のＳ３〜Ｓ９）間の動作に戻ることはない。したがって、再び、温度を考慮した（図８のＳ３〜Ｓ９）に戻るためには、電源スイッチ３９をＯＦＦ操作しなければならず、そのようにすれば、（図８のＳ１）のスタートに戻る。また、電池２１の電圧が３Ｖよりも低くなっても、動作を停止し、（図８のＳ１）のスタートに戻る（図８のＳ１８）。
【００４８】
（実施の形態２）
図１０は温度を検出する図３のセンサー３４と、湿度を検出する図３のセンサー４５を制御部２８に接続し、検出した温度と湿度から不快指数を算出し、その不快指数に基づき、モータ１７、送風ファン１６の回転数制御を行うものである。以上の構成において、図１の冷却衣服１を使用者が着用した動作を説明する。図７は、携帯電源４の詳細回路を示している。
【００４９】
つまり、携帯電源４は、電池２１と電圧調整回路（操作部の一例）２２の間に電源スイッチ３９が介在され、また、この電圧調整回路２２には、風量を設定するための操作スイッチ４０、４１、４２、４３が接続されている。
【００５０】
スイッチ４０は、電圧調整回路２２として７Ｖを出力させるもので、これが、ファン制御回路２３で昇圧され、モータ１７には１１Ｖが供給され、強風量時駆動が行われる。スイッチ４１は、電圧調整回路２２として６Ｖを出力させるもので、これが、ファン制御回路２３で昇圧され、モータ１７には９Ｖが供給され、中風量時駆動が行われる。スイッチ４２は、電圧調整回路２２として５Ｖを出力させるもので、これが、ファン制御回路２３で昇圧され、モータ１７には８Ｖが供給され、弱風量時駆動が行われる。スイッチ４３は、電圧調整回路２２として３Ｖを出力させるもので、これが、ファン制御回路２３で昇圧され、モータ１７には５．５Ｖが供給され、微弱風量時駆動が行われる。
【００５１】
使用者が、電源スイッチ３９をＯＮ状態とし、スイッチ４０をＯＮ状態とすると（図１０のＳ１）、先ずは、電圧調整回路２２からは７Ｖ出力の状態（図１０のＳ２）からスタートとする。制御部２８は、図２に示すメモリ４４内に格納したプログラム（図１０）の動作を実行する。すなわち、制御部２８は、抵抗３１、３２により電圧が６Ｖ以下か、否かを判定する（図１０のＳ３）。
【００５２】
この場合、上述のように、電圧調整回路２２からは７Ｖが供給されているので、次に制御部２８は、センサー３４による温度検出と、センサー４５による湿度検出を行い、周知の不快指数算出を行う（図１０のＳ４）。そして、その不快指数が８２よりも低いかを検出し、その結果として、不快指数が８２よりも高ければ、前記７Ｖをファン制御回路２３で昇圧し、モータ１７に１１Ｖを供給し、図９のように、強風量駆動を行う（図１０のＳ５、Ｓ６）。また、（図１０のＳ５）において、不快指数が８２よりも低ければ、次に（図１０のＳ７）において、不快指数が７６よりも高いか、否かを判定する。そして、不快指数が７６よりも低いと、前記７Ｖをファン制御回路２３で昇圧し、モータ１７に８Ｖを供給し、図９のように、弱風量駆動を行う（図１０のＳ８）。
【００５３】
つまり、屋外で作業していた作業者が、エアコンの効いた事務所に戻った場合などがこの状態となり、この時には、自動的にモータ１７が弱風量駆動となるので、無駄な電力消費は無く、その分、長時間使用が可能となり、使い勝手の良いものとなる。また、事務所において強風量駆動が継続されると、肌寒く感じることもあり、それを回避できることも使い勝手の良さを感じさせることになる。
【００５４】
また、（図１０のＳ７）において、不快指数が７６よりも高いときには、前記７Ｖをファン制御回路２３で図９のようにリニアに昇圧し、この図９のように、弱風量駆動から強風量駆動を行う（図１０のＳ９）。
【００５５】
次に、使用者が、その後、スイッチ４１、または４２、あるいは４３を操作すると、電圧調整回路２２からは６Ｖ以下の電圧が供給されているので、制御部２８は、先ず、抵抗３１、３２により電圧が７Ｖ以下か、否かを判定する（図１０のＳ１０）。この場合、スイッチ４１を操作していると、抵抗３１、３２により電圧は６Ｖ以下となっており、検出した電圧が６Ｖであるならファン制御回路２３で９Ｖに昇圧し、中風量駆動を行う（図１０のＳ１１、Ｓ１２）。
【００５６】
また、スイッチ４２を操作していると、抵抗３１、３２により電圧は５Ｖ以下となっており、検出した電圧が５Ｖであるならファン制御回路２３で８Ｖに昇圧し、弱風量駆動を行う（図１０のＳ１３、Ｓ１４）。また、スイッチ４３を操作していると、抵抗３１、３２により電圧は３Ｖ以下となっており、検出した電圧が３Ｖであるならファン制御回路２３で５．５Ｖに昇圧し、微弱風量駆動を行う（図１０のＳ１５、Ｓ１６）。また、この状態で、再びスイッチ４０を操作していると、抵抗３１、３２により電圧は７Ｖとなっており、検出した電圧が７Ｖであるならファン制御回路２３で１１Ｖに昇圧し、強風量駆動を行う（図１０のＳ１０、Ｓ１７）。
【００５７】
しかしながら、電源スイッチ３９をＯＮ状態とし、スイッチ４０をＯＮ状態とした後に、スイッチ４１、または４２、あるいは４３を操作すると、それ以降は、（図１０のＳ１０〜Ｓ１７）間の動作を行い、再び、不快指数を考慮した（図１０のＳ３〜Ｓ９）間の動作に戻ることはない。したがって、再び、不快指数を考慮した（図１０のＳ３〜Ｓ９）に戻るためには、電源スイッチ３９をＯＦＦ操作しなければならず、そのようにすれば、（図１０のＳ１）のスタートに戻る。また、電池２１の電圧が３Ｖよりも低くなっても、動作を停止し、（図１０のＳ１）のスタートに戻る（図１０のＳ１８）。
【００５８】
(実施の形態３)
図１１は温度を検出する図３のセンサー３４と、運動量を検出する図３のセンサー（例えば加速度センサー）４６を制御部２８に接続し、検出した温度と運動量から、モータ１７、送風ファン１６の回転数制御を行うものである。以上の構成において、図１の冷却衣服１を使用者が着用した動作を説明する。図７は、携帯電源４の詳細回路を示している。
【００５９】
つまり、携帯電源４は、電池２１と電圧調整回路（操作部の一例）２２の間に電源スイッチ３９が介在され、また、この電圧調整回路２２には、風量を設定するための操作スイッチ４０、４１、４２、４３が接続されている。スイッチ４０は、電圧調整回路２２として７Ｖを出力させるもので、これが、ファン制御回路２３で昇圧され、モータ１７には１１Ｖが供給され、強風量時駆動が行われる。
【００６０】
スイッチ４１は、電圧調整回路２２として６Ｖを出力させるもので、これが、ファン制御回路２３で昇圧され、モータ１７には９Ｖが供給され、中風量時駆動が行われる。スイッチ４２は、電圧調整回路２２として５Ｖを出力させるもので、これが、ファン制御回路２３で昇圧され、モータ１７には８Ｖが供給され、弱風量時駆動が行われる。スイッチ４３は、電圧調整回路２２として３Ｖを出力させるもので、これが、ファン制御回路２３で昇圧され、モータ１７には５．５Ｖが供給され、微弱風量時駆動が行われる。
【００６１】
使用者が、電源スイッチ３９をＯＮ状態とし、スイッチ４０をＯＮ状態とすると（図１１のＳ１）、先ずは、電圧調整回路２２からは７Ｖ出力の状態（図１１のＳ２）からスタートする。制御部２８は、図３に示すメモリ４４内に格納したプログラム（図１１）の動作を実行する。すなわち、制御部２８は、抵抗３１、３２により電圧が６Ｖ以下か、否かを判定する（図１１のＳ３）。この場合、上述のように、電圧調整回路２２からは７Ｖが供給されているので、次に制御部２８は、センサー３４による温度検出と、センサー（例えば加速度センサー）４６による運動量判定を行う（図１１のＳ４）。
【００６２】
すなわち、運動量が多いと、体温の上昇も伴うので、運動量が多い場合には、センサー３４で検出した温度に基づいて設定された風量よりも、風量を多くするのである。運動エネルギーＥは、体重ｍ、運動速度ｖから、例えばＥ＝０．５×ｍ×（ｖの二乗）から求めることができ、これを実測値に基づく係数ＲＥで補正すれば求められ、このような数式による補正データ（センサー３４で検出した温度に加算される温度データ）をメモリ４４に記憶させておけば、運動量によるモータ１７の駆動量制御が行える。
【００６３】
そして、センサー３４で検出した温度に、上記運動量による加算温度データを加えた補正温度が、３６度よりも低いかを検出し、その結果として、補正温度が３６度よりも高ければ、前記７Ｖをファン制御回路２３で昇圧し、モータ１７に１１Ｖを供給し、図９のように、強風量駆動を行う（図１１のＳ５、Ｓ６）。また、（図１１のＳ５）において、上記補正温度が３６度よりも低ければ、次に（図１１のＳ７）において、上記補正温度が２９度よりも高いか、否かを判定する。そして、上記補正温度が２９度よりも低いと、前記７Ｖをファン制御回路２３で昇圧し、モータ１７に８Ｖを供給し、図９のように、弱風量駆動を行う（図１１のＳ８）。
【００６４】
つまり、屋外で作業していた作業者が、エアコンの効いた事務所に戻った場合などがこの状態となり、この時には、自動的にモータ１７が弱風量駆動となるので、無駄な電力消費は無く、その分、長時間使用が可能となり、使い勝手の良いものとなる。また、事務所において強風量駆動が継続されると、肌寒く感じることもあり、それを回避できることも使い勝手の良さを感じさせることになる。
【００６５】
また、（図１１のＳ７）において、上記補正温度が２９度よりも高いときには、前記７Ｖをファン制御回路２３で図９のようにリニアに昇圧し、この図９のように、弱風量駆動から強風量駆動を行う（図１１のＳ９）。
【００６６】
次に、使用者が、その後、スイッチ４１、または４２、あるいは４３を操作すると、電圧調整回路２２からは６Ｖ以下の電圧が供給されているので、制御部２８は、先ず、抵抗３１、３２により電圧が７Ｖ以下か、否かを判定する（図１１のＳ１０）。この場合、スイッチ４１を操作していると、抵抗３１、３２により電圧は６Ｖ以下となっており、検出した電圧が６Ｖであるならファン制御回路２３で９Ｖに昇圧し、中風量駆動を行う（図１１のＳ１１、Ｓ１２）。
【００６７】
また、スイッチ４２を操作していると、抵抗３１、３２により電圧は５Ｖ以下となっており、検出した電圧が５Ｖであるならファン制御回路２３で８Ｖに昇圧し、弱風量駆動を行う（図１１のＳ１３、Ｓ１４）。また、スイッチ４３を操作していると、抵抗３１、３２により電圧は３Ｖ以下となっており、検出した電圧が３Ｖであるならファン制御回路２３で５．５Ｖに昇圧し、微弱風量駆動を行う（図１１のＳ１５、Ｓ１６）。また、この状態で、再びスイッチ４０を操作していると、抵抗３１、３２により電圧は７Ｖとなっており、検出した電圧が７Ｖであるならファン制御回路２３で１１Ｖに昇圧し、強風量駆動を行う（図１１のＳ１０、Ｓ１７）。
【００６８】
しかしながら、電源スイッチ３９をＯＮ状態とし、スイッチ４０をＯＮ状態とした後に、スイッチ４１、または４２、あるいは４３を操作すると、それ以降は、（図１１のＳ１０〜Ｓ１７）間の動作を行い、再び、運動量を考慮した（図１１のＳ３〜Ｓ９）間の動作に戻ることはない。したがって、再び、運動量を考慮した（図１１のＳ３〜Ｓ９）に戻るためには、電源スイッチ３９をＯＦＦ操作しなければならず、そのようにすれば、（図１１のＳ１）のスタートに戻る。また、電池２１の電圧が３Ｖよりも低くなっても、動作を停止し、（図１１のＳ１）のスタートに戻る（図１１のＳ１８）。
【００６９】
なお、この実施形態のセンサー４６は、図３に示すように基板４７に配置し、加速度を適切に検出できるようにしている。
【００７０】
以上、本発明の実施形態を詳述したが、本発明は上記実施形態に限定されるものではない。そして本発明は、特許請求の範囲に記載された事項を逸脱することがなければ、種々の設計変更を行うことが可能である。本発明は、温度や湿度をセンサーで検査し、送風ファンの動作を制御するので、必要以上の電力消費が抑制され、その結果として、冷却衣服用送風機の駆動時間が長くなり、快適性の高いものとなる。
【符号の説明】
【００７１】
１                本体ケース
１                冷却衣服
２                冷却衣服用送風機
３                ケーブル
４                携帯電源
５                首元開口
６                袖口
７                絞り
８                空気吸込口
９                空気排出口
１０              送風機ケース
１１              内筒
１２              外筒
１３              リング
１４              ガードカバー
１５              ガードカバー
１６              送風ファン
１７              モータ
１８              取付リング
１９              鍔
２０              鍔
２１              電池
２２              電圧調整回路（操作部の一例）
２３              ファン制御回路
２４              コイル
２５              ダイオード
２６              コンデンサ
２７              スイッチング素子
２８              制御部
２９              抵抗
３０              抵抗
３１              抵抗
３２              抵抗
３３              コンデンサ
３４              センサー
３５              センサー取付部
３６              第１突起
３７              第２突起
３８              円柱状結合部
３９              電源スイッチ
４０              操作スイッチ
４１              操作スイッチ
４２              操作スイッチ
４３              操作スイッチ
４４              メモリ
４５              センサー
４６              センサー
４７              基板
【図１】
2019007103.tif 000003
【図２】
2019007103.tif 000004
【図３】
2019007103.tif 000005
【図４】
2019007103.tif 000006
【図５】
2019007103.tif 000007
【図６】
2019007103.tif 000008
【図７】
2019007103.tif 000009
【図８】
2019007103.tif 000010
【図９】
2019007103.tif 000011
【図１０】
2019007103.tif 000012
【図１１】
2019007103.tif 000013